(57)【要約】【課題】垂直同期入力信号中にノイズが多くなった状態でも、垂直同期出力信号を適正なタイミングで安定して出力する同期検出回路を提供する。【解決手段】垂直同期入力信号ＶＤｉｎの有効エッジを検出し垂直検出信号Ｓｅを出力するエッジ検出部１０１、入力映像信号Ｓｖのレベルから映像非表示期間を検出し映像非表示期間検出信号Ｓｄを出力する映像非表示期間検出部１０６、非表示期間検出信号Ｓｄおよびブランキング信号Ｓｂが有効のときに垂直検出信号Ｓｅをゲート出力信号Ｓｇとして出力するゲート部１０２、ゲート出力信号Ｓｇによってリセットされ水平同期入力信号ＨＤｉｎのカウントを開始するカウンタ１０３、カウント値Ｓｃが所定範囲にあるときにブランキング信号Ｓｂをゲート部に対して出力するブランキング期間判定部１０４、カウント値が所定値に達すると垂直同期出力信号ＶＤｏｕｔを出力する垂直同期信号生成部１０５を備える。【選択図】  図１
2004229053.tif 000002
【特許請求の範囲】
【請求項１】
外部から入力される垂直同期入力信号の有効エッジを検出すると、外部から入力される水平同期入力信号のカウントを開始し、そのカウント値が所定値に達したときに垂直同期出力信号を出力する同期検出回路主部を備えた同期検出回路であって、
さらに、外部から入力される映像信号のレベルに基づいて映像非表示期間を検出し映像非表示期間検出信号を出力する映像非表示期間検出部を備え、
前記映像非表示期間検出部による前記映像非表示期間検出信号が有効のときにのみ、前記同期検出回路主部による前記垂直同期入力信号の処理を有効化するように構成してあることを特徴とする同期検出回路。
【請求項２】
外部から入力される垂直同期入力信号の有効エッジを検出し、垂直検出信号を出力するエッジ検出部と、
外部から入力される映像信号のレベルから映像非表示期間を検出し映像非表示期間検出信号を出力する映像非表示期間検出部と、
前記映像非表示期間検出部による前記映像非表示期間検出信号が有効で、かつ、ブランキング信号が有効のときに、前記垂直検出信号をゲート出力信号として出力するゲート部と、
前記ゲート部からの前記ゲート出力信号によってリセットされ、外部から入力される水平同期入力信号のカウントを開始するカウンタと、
前記カウンタによるカウント値が所定範囲にあるときに前記ブランキング信号を前記ゲート部に対して出力するブランキング期間判定部と、
前記カウンタによるカウント値が所定値に達すると垂直同期出力信号を出力する垂直同期信号生成部とを具備することを特徴とする同期検出回路。
【請求項３】
外部から入力される映像信号のレベルから映像非表示期間を検出し映像非表示期間検出信号を出力する映像非表示期間検出部と、
前記映像非表示期間検出部による前記映像非表示期間検出信号が有効で、かつ、ブランキング信号が有効のときに、外部から入力される垂直同期入力信号をゲート出力信号として出力するゲート部と、
前記ゲート部からのゲート出力信号の有効エッジを検出し、垂直検出信号を出力するエッジ検出部と、
前記エッジ検出部からの前記垂直検出信号によってリセットされ、外部から入力される水平同期入力信号のカウントを開始するカウンタと、
前記カウンタによるカウント値が所定範囲にあるときに前記ブランキング信号を前記ゲート部に対して出力するブランキング期間判定部と、
前記カウンタによるカウント値が所定値に達すると垂直同期出力信号を出力する垂直同期信号生成部とを具備することを特徴とする同期検出回路。
【発明の詳細な説明】
【０００１】
【発明の属する技術分野】
本発明は同期検出回路にかかわり、特には、入力映像信号から分離された垂直同期信号に対するノイズが多くなったときでも、正しいタイミングで垂直同期出力信号を生成するための技術に関する。
【０００２】
【従来の技術】
近年のカーナビゲーションシステムでは、テレビジョン放送・ＤＶＤやＣＤからの地図情報、ＧＰＳからの情報などのさまざまな映像を表示することができる。カーナビゲーションシステムは車内に取り付けられるため、山間部における電波障害やノイズなどによって、入力映像信号から分離された垂直同期信号の欠落によって表示画面が乱れやすい。
【０００３】
入力映像信号から分離された垂直同期信号の欠落や位相の乱れによる表示画面の乱れを防ぐために、従来、カーナビゲーションシステムには、図６に示したような同期検出回路６００と同期制御回路８００が設けられている。図６において、同期検出回路６００は、エッジ検出部６０１、ゲート部６０２、カウンタ６０３、ブランキング期間判定部６０４および垂直同期信号生成部６０５から構成されている。
【０００４】
以下、図６に示した従来の同期検出回路６００の動作について説明する。
【０００５】
エッジ検出部６０１は、外部からの垂直同期入力信号ＶＤｉｎを入力とし、有効エッジのみ垂直検出信号Ｓｅとして出力する。ゲート部６０２は、ブランキング期間判定部６０４からのブランキング信号Ｓｂが有効のときに、前記垂直検出信号Ｓｅをスルーさせてゲート出力信号Ｓｇを出力する。カウンタ６０３は、ゲート出力信号Ｓｇによってリセットされ、外部から入力される水平同期入力信号ＨＤｉｎをカウントする。
【０００６】
ブランキング期間判定部６０４は、カウンタ６０３によるカウント値Ｓｃが所定範囲にあるときに、映像非表示期間と判定するブランキング信号Ｓｂを出力する。
【０００７】
垂直同期信号生成部６０５は、カウンタ６０３によるカウント値Ｓｃが所定値に達すると垂直同期出力信号ＶＤｏｕｔを出力する。
【０００８】
以上のように制御することで垂直同期出力信号ＶＤｏｕｔを出力し、安定して垂直同期入力信号ＶＤｉｎが入力されたとき、カーナビゲーションシステムの液晶表示装置の表示を安定させている。
【０００９】
また、図６に示した従来の同期制御回路８００は、同期検出回路６００から出力される垂直同期出力信号ＶＤｏｕｔを入力とし、垂直同期出力信号ＶＤｏｕｔの周期が正常な場合は垂直同期出力信号ＶＤｏｕｔをそのまま外部垂直同期出力信号ＶＤｏｕｔ′として出力し、垂直同期出力信号ＶＤｏｕｔの周期が不安定な場合は、同期制御回路８００の内部で擬似的に垂直同期信号ＶＤｖｔを作成した上で、外部垂直同期出力信号ＶＤｏｕｔ′として出力する回路構成が用いられている（例えば、特許文献１、特許文献２）。
【００１０】
図７は、図６に示した従来の同期検出回路において、ノイズが多いときの動作を示している。
【００１１】
図７において、７０１は垂直同期入力信号ＶＤｉｎが欠落したときの外部垂直同期出力信号ＶＤｏｕｔ′の動作を示し、７０２は垂直同期入力信号ＶＤｉｎにノイズが合成されたときの垂直検出信号Ｓｅの動作を示し、７０３は同期制御回路８００が内部で擬似的に垂直同期信号ＶＤｖｔを作成し、外部垂直同期出力信号ＶＤｏｕｔ′として出力していた状態から、垂直同期出力信号ＶＤｏｕｔをそのまま外部垂直同期出力信号ＶＤｏｕｔ′として出力する切り替え時の理想的な動作を示し、７０４は同期制御回路８００が内部で擬似的に垂直同期信号ＶＤｖｔを作成し、外部垂直同期出力信号ＶＤｏｕｔ′として出力していた状態から、垂直同期出力信号ＶＤｏｕｔを外部垂直同期出力信号ＶＤｏｕｔ′として出力する切り替え時の動作を示している。
【００１２】
図７によると、従来の同期検出回路６００ではノイズを間違えて垂直同期入力信号ＶＤｉｎと判断し、理想的なタイミングと比べると、１垂直同期期間、垂直同期出力信号ＶＤｏｕｔを外部垂直同期出力信号ＶＤｏｕｔ′として出力するタイミングが遅くなっている。
【００１３】
【特許文献１】
特開平１１−３３１６３８号公報（第４−５頁、図１）
【特許文献２】
特開平７−２１９４８６号公報（第４−５頁、図１）
【００１４】
【発明が解決しようとする課題】
図６に示した従来の同期検出回路６００では、図７に示すように、垂直同期入力信号ＶＤｉｎ中にノイズが多くなると、エッジ検出部６０１では有効極性と同じエッジのみ出力するので、ノイズを間違えて垂直同期入力信号ＶＤｉｎと判断し、同期が正常なタイミングで合わなくなり、映像を安定して出力できなくなる可能性がある。
【００１５】
水平同期入力信号ＨＤｉｎのカウント値Ｓｃは時間軸での解像度が十分に高いもので、このカウント値Ｓｃが所定範囲にあるときに生成されるブランキング信号Ｓｂでゲート部６０２を開くのであるが、ブランキング信号Ｓｂがゲート部６０２を開くのは、次のサイクルの垂直同期入力信号ＶＤｉｎに対してであり、現サイクルの垂直同期入力信号ＶＤｉｎに対してではない。
【００１６】
水平同期入力信号ＨＤｉｎのカウント値Ｓｃの所定範囲は、ブランキング信号Ｓｂの時間幅に相当する。すなわち、ブランキング信号Ｓｂはカウント値Ｓｃの所定範囲に対応してある程度の時間幅を有する。このある程度の時間幅を有するブランキング信号Ｓｂの位相が現サイクルの入力映像信号の映像非表示期間に対して位相ずれを生じる可能性がある。この位相ずれに相当する期間に垂直同期入力信号ＶＤｉｎと誤判断されるノイズが入力されると、ゲート部６０２において、ブランキング信号Ｓｂが有効であるために、ノイズとしての垂直検出信号Ｓｅがゲート出力信号Ｓｇとしてゲート部６０２から出力され、不適切なタイミングでカウンタ６０３がリセットされてしまう。その不適切なタイミングからカウンタ６０３は水平同期入力信号ＨＤｉｎのカウントを開始するので、カウント値Ｓｃが所定値に達したときに垂直同期出力信号ＶＤｏｕｔを出力する垂直同期信号生成部６０５による垂直同期出力信号ＶＤｏｕｔの出力タイミングも不適切なものとなってしまう。
【００１７】
本発明は上記のような課題を解決するためになされたものであり、その目的は垂直同期入力信号中にノイズが多くなった状態でも、垂直同期出力信号を適正なタイミングで安定して出力する同期検出回路を提供することである。
【００１８】
【課題を解決するための手段】
この目的を達成するために、本発明は次のような手段を講じる。
【００１９】
第１の解決手段として、本発明による同期検出回路は、外部から入力される垂直同期入力信号の有効エッジを検出すると、外部から入力される水平同期入力信号のカウントを開始し、そのカウント値が所定値に達したときに垂直同期出力信号を出力する同期検出回路主部を備え、さらに、外部から入力される映像信号のレベルに基づいて映像非表示期間を検出し映像非表示期間検出信号を出力する映像非表示期間検出部を備え、前記映像非表示期間検出部による前記映像非表示期間検出信号が有効のときにのみ、前記同期検出回路主部による前記垂直同期入力信号の処理を有効化するように構成してある。
【００２０】
この構成による作用は次のとおりである。同期検出回路主部においては、原則として、垂直同期入力信号の有効エッジを検出すると、カウントリセットした上で水平同期入力信号のカウントを開始し、カウント値が所定値に達っしたときに垂直同期出力信号を出力するのであるが、この同期検出回路主部の動作を映像非表示期間検出部によって制御する。すなわち、映像非表示期間検出部は、入力映像信号のレベルに基づいて映像非表示期間を検出すると、映像非表示期間検出信号を同期検出回路主部に対して与え、この映像非表示期間検出信号によって同期検出回路主部の動作を制御する。その制御において、映像非表示期間検出信号が有効のときにのみ、同期検出回路主部による垂直同期入力信号の処理を有効化する。その結果として、垂直同期入力信号中にノイズが多くなった状態でも、垂直同期出力信号を適正なタイミングで安定して出力することができる。
【００２１】
上記の構成をより具体的レベルで考察すると、好ましい態様として、次のような構成を挙げることができる。
【００２２】
第１の態様の同期検出回路は、外部から入力される垂直同期入力信号の有効エッジを検出し、垂直検出信号を出力するエッジ検出部と、外部から入力される映像信号のレベルから映像非表示期間を検出し映像非表示期間検出信号を出力する映像非表示期間検出部と、前記映像非表示期間検出部による前記映像非表示期間検出信号が有効で、かつ、ブランキング信号が有効のときに、前記垂直検出信号をゲート出力信号として出力するゲート部と、前記ゲート部からの前記ゲート出力信号によってリセットされ、外部から入力される水平同期入力信号のカウントを開始するカウンタと、前記カウンタによるカウント値が所定範囲にあるときに前記ブランキング信号を前記ゲート部に対して出力するブランキング期間判定部と、前記カウンタによるカウント値が所定値に達すると垂直同期出力信号を出力する垂直同期信号生成部とを具備するものである。
【００２３】
この構成による作用は次のとおりである。エッジ検出部は垂直同期入力信号の有効エッジを検出すると、ゲート部に対して垂直検出信号を出力する。ゲート部は、エッジ検出部からの垂直検出信号とブランキング期間判定部からのブランキング信号と映像非表示期間検出部からの映像非表示期間検出信号を入力とし、ブランキング信号と映像非表示期間検出信号がともに有効であるときに限り、垂直検出信号をゲート出力信号としてカウンタに対して出力する。カウンタは、水平同期入力信号とゲート出力信号を入力とし、ゲート出力信号をトリガとして水平同期入力信号のカウントを開始する。カウンタによるカウント値は垂直同期信号生成部とブランキング期間判定部とに出力される。垂直同期信号生成部は、カウント値が所定値に達すると垂直同期出力信号を出力する。ブランキング期間判定部は、カウント値が所定範囲にあるときにブランキング信号をゲート部に対してフィードバックする。これは、ゲート部における次のサイクルでのゲートスルーに供される。
【００２４】
以上において重要なことは、ゲート部に対して、エッジ検出部からの垂直検出信号とブランキング期間判定部からのブランキング信号だけでなく、加えて、映像非表示期間検出部からの映像非表示期間検出信号を入力していることである。ブランキング信号がゲート部を開くのは、次のサイクルの垂直同期入力信号に対してであり、現サイクルの垂直同期入力信号に対してではない。従来技術の場合、垂直同期入力信号と誤判断されるノイズが入力されると、ブランキング信号が有効であれば、ノイズが垂直検出信号としてゲート部から出力され、不適切なタイミングでカウンタがリセットされてしまい、その結果、垂直同期信号生成部による垂直同期出力信号の出力タイミングも不適切なものとなってしまう。
【００２５】
これに対して、本発明の場合は、ゲート部に、映像非表示期間検出部からの映像非表示期間検出信号も入力しているので、現サイクルの入力映像信号の映像非表示期間を正しく検出することができ、ゲート部はノイズをゲート出力信号として出力することがない。その結果、垂直同期入力信号中にノイズが多くなった状態でも、正しいタイミングで垂直同期出力信号を生成して出力することができる。
【００２６】
第２の態様の同期検出回路は、外部から入力される映像信号のレベルから映像非表示期間を検出し映像非表示期間検出信号を出力する映像非表示期間検出部と、前記映像非表示期間検出部による前記映像非表示期間検出信号が有効で、かつ、ブランキング信号が有効のときに、外部から入力される垂直同期入力信号をゲート出力信号として出力するゲート部と、前記ゲート部からのゲート出力信号の有効エッジを検出し、垂直検出信号を出力するエッジ検出部と、前記エッジ検出部からの前記垂直検出信号によってリセットされ、外部から入力される水平同期入力信号のカウントを開始するカウンタと、前記カウンタによるカウント値が所定範囲にあるときに前記ブランキング信号を前記ゲート部に対して出力するブランキング期間判定部と、前記カウンタによるカウント値が所定値に達すると垂直同期出力信号を出力する垂直同期信号生成部とを具備するものである。
【００２７】
これは、第１の態様において、エッジ検出部とゲート部の位置を入れ替えたものに相当する。作用的には、第１の態様と同じで、垂直同期入力信号中にノイズが多くなった状態でも、正しいタイミングで垂直同期出力信号を生成して出力することができるが、第１の態様の場合は、エッジ検出部による垂直同期入力信号のエッジ検出が映像表示期間と映像非表示期間の区別なく常時的に行われるのに対して、第２の態様の場合は、エッジ検出部はゲート部の次段にあり、映像非表示期間に限って入力されてくるゲート出力信号のエッジを検出するだけであるため、第１の態様に比べるとエッジ検出部の動作は少なくなり、低消費電力を図ることができる。
【００２８】
【発明の実施の形態】
以下、本発明の実施の形態について図面を参照して詳しく説明する。
【００２９】
（実施の形態１）
図１は、本発明の実施の形態１における同期検出回路１００の構成を示すブロック図である。図１に示す同期検出回路１００はカーナビゲーションシステム（図示せず）に適用され、テレビジョン放送・ＤＶＤまたはＣＤからの地図情報、ＧＰＳからの情報などの映像と同期した同期信号を、液晶コントローラを介してディスプレイに表示する際の同期信号を生成する回路である。
【００３０】
図１に示す同期検出回路１００は、エッジ検出部１０１、ゲート部１０２、カウンタ１０３、ブランキング期間判定部１０４および垂直同期信号生成部１０５からなる同期検出回路主部１５０と、映像非表示期間検出部１０６とを備えている。同期検出回路主部１５０は、従来技術（図６）における同期検出回路６００に相当する。
【００３１】
エッジ検出部１０１は、外部から入力される垂直同期入力信号ＶＤｉｎを入力とし、有効エッジのみ垂直検出信号Ｓｅとして出力する。ゲート部１０２は、ブランキング期間判定部１０４からのブランキング信号Ｓｂが有効で、かつ、映像非表示期間検出部１０６からの映像非表示期間検出信号Ｓｄが映像非表示のレベルを示しているときに限って、エッジ検出部１０１からの垂直検出信号Ｓｅをゲート出力信号Ｓｇとして出力する。カウンタ１０３は、ゲート出力信号Ｓｇと外部から入力される水平同期入力信号ＨＤｉｎを入力とし、ゲート出力信号Ｓｇをトリガとしてリセットされ、水平同期入力信号ＨＤｉｎのカウントを開始する。
【００３２】
ブランキング期間判定部１０４は、カウンタ１０３によるカウント値Ｓｃが所定範囲にあるときに、映像非表示期間Ｔｂと判定するブランキング信号Ｓｂを出力する。
【００３３】
垂直同期信号生成部１０５は、カウンタ１０３によるカウント値Ｓｃが所定値に達すると垂直同期出力信号ＶＤｏｕｔを出力する。
【００３４】
映像非表示期間検出部１０６は、外部から入力される映像信号Ｓｖの信号のレベルを検出し、検出したレベルが映像非表示期間を示すときに限り映像非表示期間検出信号Ｓｄを出力する。
【００３５】
次に、図１に示した同期検出回路１００の動作について説明する。
【００３６】
図２は、実施の形態１の垂直同期入力信号ＶＤｉｎが入力されているときの同期検出回路１００の動作を示している。以下、図２を参照しつつ説明する。
【００３７】
図２中の２０１は、カウンタ１０３によるカウント値Ｓｃが所定値になったので、ブランキング期間判定部１０４が映像非表示期間Ｔｂであると判定し、ブランキング信号Ｓｂを出力している状態を示している。
【００３８】
図２中の２０２は、ブランキング信号Ｓｂが出力となり、映像非表示期間検出部１０６が映像非表示のレベルと判定して映像非表示期間検出信号Ｓｄを出力しているので、ゲート部１０２がエッジ検出部１０１からの垂直検出信号Ｓｅをゲート出力信号Ｓｇとして出力している状態を示している。
【００３９】
図２中の２０３は、カウンタ１０３によるカウント値Ｓｃが所定値になったので垂直同期出力信号ＶＤｏｕｔを出力している状態を示している。
【００４０】
図２中の２０４は、垂直同期入力信号ＶＤｉｎが映像表示期間Ｔａに入力されたときのエッジ検出部１０１からの垂直検出信号Ｓｅとゲート部１０２からのゲート出力信号Ｓｇの状態を示している。この場合、ノイズが垂直同期入力信号ＶＤｉｎとして入力されているが、映像表示期間Ｔａであって映像非表示期間検出信号Ｓｄが無効状態であるので、ゲート部１０２はゲート出力信号Ｓｇを出力せず、不適切なタイミングの垂直同期入力信号ＶＤｉｎについては、これを受け付けないようにしている。
【００４１】
図２に示したように、垂直同期入力信号ＶＤｉｎの有効エッジが映像非表示期間Ｔｂに入力されたときのみ、適正なタイミングで映像非表示期間検出信号Ｓｄが有効となり、垂直同期入力信号ＶＤｉｎに同期して垂直同期出力信号ＶＤｏｕｔが正しいタイミングで出力されることになる。
【００４２】
図３は実施の形態１の同期検出回路１００において、ノイズが多いときにおける動作を示している。
【００４３】
図３中の３０１は、垂直同期入力信号ＶＤｉｎが欠落したときの外部垂直同期出力信号ＶＤｏｕｔ′の動作を示している。
【００４４】
図３中の３０２は、垂直同期入力信号ＶＤｉｎにノイズが合成されたときの動作を示している。
【００４５】
図３中の３０３は、同期制御回路２００が内部で擬似的に垂直同期信号ＶＤｖｔを作成し、外部垂直同期出力信号ＶＤｏｕｔ′として出力していた状態から、垂直同期出力信号ＶＤｏｕｔをそのまま外部垂直同期出力信号ＶＤｏｕｔ′として出力する切り替え時の動作を示している。
【００４６】
３０２では入力映像信号Ｓｖが映像表示期間Ｔａであって映像非表示期間検出信号Ｓｄが無効の状態であるために、ゲート部１０２からゲート出力信号Ｓｇは出力されておらず、垂直同期出力信号ＶＤｏｕｔも理想的な周期で出力されている。
【００４７】
さらに、３０２での結果を受けて、３０３では、擬似的に垂直同期信号ＶＤｖｔを外部垂直同期出力信号ＶＤｏｕｔ′として出力していた状態から、垂直同期出力信号ＶＤｏｕｔをそのまま外部垂直同期出力信号ＶＤｏｕｔ′として出力するように切り替わるタイミングが、図６、図７に示した従来の同期検出回路６００よりも１垂直期間早くなり、理想的な周期で出力されている。
【００４８】
以上説明したように、映像表示期間Ｔａか映像非表示期間Ｔｂかどうかを、入力映像信号Ｓｖのレベルについての映像非表示期間検出信号Ｓｄとカウンタ１０３によるカウント値Ｓｃとの２要素で確認することにより、垂直同期入力信号中にノイズが多くなった状態でも、正しいタイミングで垂直同期出力信号ＶＤｏｕｔを生成して出力することができる。さらには、外部垂直同期出力信号ＶＤｏｕｔ′を安定して出力し、液晶ディスプレイにおいて、映像乱れなく的確に映像を表示することができる。
【００４９】
（実施の形態２）
図４は、本発明の実施の形態２における同期検出回路１００ａの構成を示すブロック図である。
【００５０】
図４に示す同期検出回路１００ａは、エッジ検出部１０１、ゲート部１０２、カウンタ１０３、ブランキング期間判定部１０４および垂直同期信号生成部１０５からなる同期検出回路主部１５０と、映像非表示期間検出部１０６とを備えている。ゲート部１０２とエッジ検出部１０１の位置関係が実施の形態１とは逆になっている。
【００５１】
ゲート部１０２は、ブランキング期間判定部１０４からのブランキング信号Ｓｂが有効で、かつ、映像非表示期間検出部１０６からの映像非表示期間検出信号Ｓｄが映像非表示のレベルを示しているときに限って、入力した垂直同期入力信号ＶＤｉｎをゲート出力信号Ｓｇとして出力する。エッジ検出部１０１は、ゲート部１０２からのゲート出力信号Ｓｇを入力とし、有効エッジのみ垂直検出信号Ｓｅとして出力する。その他の構成については、実施の形態１と同様であるので説明を省略する。
【００５２】
図５は実施の形態２における正常な周期で垂直同期入力信号ＶＤｉｎが入力されているときの垂直同期検出の動作を示している。
【００５３】
垂直同期出力信号ＶＤｏｕｔの出力タイミングは実施の形態１と変わりはない。エッジ検出部１０１よりもゲート部１０２の方が前段に位置している。そのため、ブランキング期間判定部１０４からのブランキング信号Ｓｂが有効でかつ映像非表示期間検出部１０６からの映像非表示期間検出信号Ｓｄが有効のときに限り、ゲート部１０２は垂直同期入力信号ＶＤｉｎをゲート出力信号Ｓｇとしてエッジ検出部１０１に出力する。エッジ検出部１０１は入力されてくるゲート出力信号Ｓｇのエッジを検出し、垂直検出信号Ｓｅとしてカウンタ１０３に出力する。
【００５４】
実施の形態１の場合は、エッジ検出部１０１は入力されてくる垂直同期入力信号ＶＤｉｎのエッジを検出するが、その検出は、映像表示期間と映像非表示期間の区別なく常時的に行う。これに対して、本実施の形態の場合は、エッジ検出部１０１は映像非表示期間に限って入力されてくるゲート出力信号Ｓｇのエッジを検出するだけであり、実施の形態１と比べると、エッジ検出部１０１の動作は少なくてすみ、低消費電力を図ることができる。
【００５５】
以上説明したように、ブランキング期間判定部１０４からのブランキング信号Ｓｂが有効で、かつ、映像非表示期間検出部１０６からの映像非表示期間検出信号Ｓｄが映像非表示のレベルとなっているときに限り、ゲート部１０２は垂直同期入力信号ＶＤｉｎをゲート出力信号Ｓｇとして出力し、エッジ検出部１０１はゲート出力信号Ｓｇの有効エッジのみ垂直検出信号Ｓｅとして出力することで、最適な回路構成で安定した同期検出が可能となる。
【００５６】
なお、上記において、実施の形態１の場合の図２、図３の波形の極性、あるいは、実施の形態２の場合の図５の波形の極性については、これを逆にしてもよい。
【００５７】
【発明の効果】
以上のように本発明によれば、垂直同期入力信号中にノイズが多くなった状態でも、正しいタイミングで垂直同期出力信号を生成して出力することができる。ひいては、液晶ディスプレイにおいて、映像の表示を安定させることができる。
【図面の簡単な説明】
【図１】本発明の実施の形態１における同期検出回路の構成を示すブロック図
【図２】本発明の実施の形態１における同期検出回路で、正常な周期で垂直同期入力信号を入力しているときの動作波形図
【図３】本発明の実施の形態１における同期検出回路で、ノイズが多いときの動作波形図
【図４】本発明の実施の形態２における同期検出回路の構成を示すブロック図
【図５】本発明の実施の形態２における同期検出回路で、正常な周期で垂直同期入力信号を入力しているときの動作波形図
【図６】従来の同期検出回路の構成を示すブロック図
【図７】従来の同期検出回路で、ノイズが多いときの動作波形図
【符号の説明】
１００，１００ａ  同期検出回路
１０１  エッジ検出部
１０２  ゲート部
１０３  カウンタ
１０４  ブランキング期間判定部
１０５  垂直同期信号生成部
１０６  映像非表示期間検出部
１５０  同期検出回路主部
Ｓｂ  ブランキング信号
Ｓｃ  カウント値
Ｓｄ  映像非表示期間検出信号
Ｓｅ  垂直検出信号
Ｓｇ  ゲート出力信号
Ｓｖ  入力映像信号
ＶＤｉｎ  垂直同期入力信号
ＶＤｏｕｔ  垂直同期出力信号
ＨＤｉｎ  水平同期入力信号
【図１】
2004229053.tif 000003
【図２】
2004229053.tif 000004
【図３】
2004229053.tif 000005
【図４】
2004229053.tif 000006
【図５】
2004229053.tif 000007
【図６】
2004229053.tif 000008
【図７】
2004229053.tif 000009